(57)【要約】【課題】ラジオ体操を行なうのに時間的制約があり、また、ラジオ体操・童話などのＣＤ、カセットテ−プ、ビデオにおいても、再生機器を使用する不便があった。  また、個人でウオ−キング、散歩など都合に合わせてラジオ体操を行ないたくてもラジオ体操の音楽号令がないとできない。  また、学校、職場、町会地域など広範囲でのラジオ体操を行なうのに、マイクロホンで送話したあとラジオ体操のＣＤ、カセットテ−プ、ビデオの再生を再生機器を使用する不便があった。【解決手段】１・小型軽量でラジオ体操録音内蔵の再生専用携帯機を作製する。２・小型軽量で童話録音内蔵の再生専用携帯機を作製する。３・ラジオ体操録音内蔵再生専用のマイクロホンを作製する。４・ラジオ体操録音内蔵再生専用歩数計携帯機を作製する。【選択図】図２
2011232719.tif 000002
【特許請求の範囲】
【請求項１】
本体内部には、音声ＬＳＩ、マイコン、発震器、スピ−カ−、及び電池が共に内蔵しており、本体表面にラジオ体操を再生するためのスイッチ・ボリュウム、を設けた小型軽量を特徴とするラジオ体操録音内蔵再生専用携帯機。
【請求項２】
本体内部には、音声ＬＳＩ、マイコン、発震器、スピ−カ−、及び電池が共に内蔵しており、本体表面に童話を再生するためのスイッチ・ボリュウム、を設けた小型軽量を特徴とする童話録音内蔵再生専用携帯機。
【請求項３】
マイクロホン内部には、振動板、コイル、永久磁石、出力・スピ−カ−、音声ＬＳＩ，マイコン、発震器、及び電池が共に内蔵しており、ラジオ体操を再生するためのスイッチ・ボリュウムを設けたことを特徴とするラジオ体操録音内蔵再生専用マイクロホン。
【請求項４】
本体内部には、音声ＬＳＩ、マイコン、発震器、スピ−カ−、歩数計、及び、電池が共に内蔵しており、本体表面にラジオ体操を再生するためのスイッチ・ボリュム、歩数表示を設けた小型軽量を特徴とするラジオ体操録音内蔵再生専用歩数計携帯機。
【発明の詳細な説明】
【技術分野】
【０００１】この発明は、ラジオ体操・童話などが録音された音声ＬＳＩが内蔵している再生専用の携帯機、ラジオ体操が録音された音声ＬＳＩが内蔵している再生専用のマイクロホン、及び、ラジオ体操が録音された音声ＬＳＩが内蔵しているラジオ体操録音内蔵再生専用歩数計携帯機である。
【背景技術】
【０００２】従来の録音・録画商品（ＣＤ，カセット，ビデオテ−プ）は（ＣＤプレ−ヤ−，パソコンドライブ，カセットデッキ，ビデオデッキ）を使用して再生している。【０００３】ラジオ体操は、１９２８年（昭和３年）に「国民保険体操」として制定され、１９５１〜１９５２年（昭和２６年〜２７年）に「ラジオ体操第一・第二」として再編成された。
従来のラジオ体操、テレビ体操は一定の時間に放送、放映されている。【０００４】従来のラジオ体操録音・童話録音・録画商品はＣＤ・カセット・ビデオテ−プである【０００５】従来のマイクロホンは、音声を放送、通信などの送話器である。【０００６】従来の歩数計は歩数の記録専用である。
【先行技術文献】
【特許文献】
【０００７】
【特許文献１】特開平６−５２０６８  発明の名称  記録再生部の情報保持装置
【非特許文献】
【０００８】
【非特許文献１】マイク型カラオケ  ＥＴ−１３Ｋ  １０００曲内蔵マイクカラオケ
【発明の概要】
【０００９】この発明はラジオ体操・童話など録音された音声ＬＳＩが内蔵している再生専用の小型軽量の携帯機と、振動板、コイル、永久磁石、音声ＬＳＩ、マイコン、出力（スピ−カ−）、発震器、電池が共に内蔵しているラジオ体操録音再生専用マイクロホン、及び、ラジオ体操録音再生専用歩数計が表示される携帯機である。ラジオ体操、童話、音楽など再生して楽しむことができ、ラジオ体操ＬＳＩ内蔵のマイクロホン表面のスイッチを押して、送話同様にラジオ体操を行なうことが出来る。また、ラジオ体操内蔵の歩数計はラジオ体操の動作と歩行が計測されるので健康管理には便利である。
【発明が解決しようとする課題】
【００１０】現在の録音・録画商品は別の再生機器を使用して再生しており不便である。
特にラジオ体操は、行なうのに時間的制約があり不便である。
また、童話は幼児など文字が読めない人は不便である。
そこで、この発明は、別の再生機器を使用しないで、何時、何処でも利用できる小型軽量録音内蔵再生専用携帯機とマイクロホン、歩数計を連携させて提供することを課題とする。
【課題を解決するための手段】
【００１１】以上の課題を解決するために、音声変換・繰返し機能を内蔵した音声ＬＳＩとマイコン、マイクロホン、歩数計の稼働が重要であるが、音声ＬＳＩは、長時間の再生が可能である。また、この音声ＬＳＩにはスピ−カ−アンプが内蔵されており、音量司令は３２段階で多く、音質もきれいに大きく聴こえる。ラジオ体操・童話録音内蔵再生専用携帯機、マイクロホン、歩数計は乾電池の電源電圧で作動可能で小型軽量である携帯機の電源電圧は、２．７Ｖ〜５．５Ｖの電源電圧で、乾電池、またはボタン電地を使用して電源電圧が消滅した時には取り替えが可能である。（充電式・兼用可能）音声ＬＳＩの大きさは、縦７．６ｍｍ、横９．７ｍｍで小さく軽量である。
携帯機の大きさは、乾電池式・ボタン電池式・（充電式）では多少異なるが、縦４ｃｍ〜５ｃｍ・横５ｃｍ〜６ｃｍで小型であり、重さは外かく素材により多少異なるが、乾電池式では４５ｇ〜５５ｇボタン電池式・（充電式）では２０ｇ〜３０ｇで軽量である。
また、ラジオ体操内蔵のマイクロホンは、ダイナッミク型で感度は良い。電源は不用であるが、ラジオ体操を聴くにはラジオ体操の音声ＬＳＩをマイクロホンの内部で接続することで送話同様に聴くことができる。（歩数計の大きさ、重さは形態により多少異なる）
以上の発明手段により課題は解決される。
【発明の効果】
【００１２】録音された音声を聴くのに、別の再生機器を使用しないで音声を聴くことができる。ラジオ体操携帯機は、何時、何処でも自分の都合に合わせてラジオ体操を行なうことができる。ラジオ体操携帯機は主に個人で利用が多いと思われるが、夏休みに小学生が公園などで行なうのに携帯機は便利である。
また、書物・音楽・教育など全てのことがらを音声ＬＳＩを再生して聴くことにより楽しみ、活用ができる。童話などは幼児と大人が共に楽しむことができる。
そして、ラジオ体操録音再生内蔵付きマイクロホンは、学校、職場などで朝礼あとに行なうラジオ体操にはマイクロホン一本で、お話しとラジオ体操の両方ができて大変便利であり、ラジオ体操録音内蔵再生付きの歩数計は、ウオ−キングの途中に公園などでラジオ体操ができて便利である。
【図面の簡単な説明】
【００１３】
【図１】  この発明の−実施形態を示す斜視図である。  （本体表面）
【図２】  この発明の−実施形態を示す斜視図である。  （本体内部）
【図３】  この発明の−実施形態を示す斜視図である。  （本体裏面）
【図４】  この発明のー実施形態を示す斜視図である。  （本体内部）
【図５】  この発明の−実施形態を示す斜視図である。  （本体内部）
【発明を実施するための形態】
【００１４】この発明の−実施形態を、図１・図２・図３・図４・図５に示す。
ラジオ体操・童話、歩数計の再生専用携帯機の本体はプラスチック、又は金属製であり、本体表面と裏面に分かれる。
本体表面にはスイッチ・ボリュ−ムが、裏面には音声が聞こえるように小さな穴が開いている。また、本体内部には、音声ＬＳＩ、マイコン、発震器、スピ−カ−、電池が配置され、本体にはハンドストラップの工夫がされている。
本体表面と裏面が合体するように縁の周りに凹凸の溝があり、美しいカラ−で、外形は丸み、または長方形をおびている。
また、ラジオ体操録音内蔵再生付きマイクロホンは棒型の金属製で、本体表面にはスイッチ・ボリュムが、本体内部には、振動板、コイル、永久磁石、出力・スピ−カ−、音声ＬＳＩ、マイコン、発震器、電池が共に内蔵されており、電源はラジオ体操に切り替えた時に必要である。
【実施例】
【実施例１】
【００１５】発明の名称はラジオ体操録音内蔵再生専用携帯機なので、ウオ−キング・散歩途中に公園などでラジオ体操を楽しむことができ健康増進に役立つ。
また、ラジオ体操をＬＳＩに録音して、下記１〜１０に示すように、他の商品に組み込んで活用することも可能である。
１・  ラジオ体操録音内蔵再生機能  ＋  録音再生携帯機
２・  ラジオ体操録音内蔵再生機能  ＋  録画再生携帯機
３・  ラジオ体操録音内蔵再生機能  ＋  録音・録画再生携帯機
４・  ラジオ体操録音内蔵再生機能  ＋  録画内蔵再生携帯機
５・  ラジオ体操録音内蔵再生機能  ＋  録音・録画内蔵再生携帯機
６・  ラジオ体操録音内蔵再生機能  ＋  携帯電話
７・  ラジオ体操録音内蔵再生機能  ＋  テレビ（携帯テレビ）
８・  ラジオ体操録音内蔵再生機能  ＋  ラジオ（携帯ラジオ）
９・  ラジオ体操録音内蔵再生機能  ＋  マイクロホン・拡声器
１０・  ラジオ体操録音内蔵再生機能  ＋  歩数計
【実施例２】
【００１６】童話集、短篇小説など書物・古典音楽、流行歌など音楽・数学、英語、科学、などの公式暗記などの教育に利用できる。
また、図１・に示した他に、複数のスイッチを設けて複数の録音内蔵再生も可能である。
【実施例３】
【００１７】学校・職場の朝礼のあとに、また町会など地域でラジオ体操を行なっている。ラジオ体操録音内蔵再生付きマイクロホンは、別の再生機を使わなくてよくラジオ体操を行なうのに大変便利である。
【実施例４】
【００１８】健康増進のウオ−キングに歩数計の持参が増えている。ラジオ体操録音内蔵再生付き歩数計で、ウオ−キングと一緒にラジオ体操が行なえて大変便利である。
【産業上の利用可能性】
【００１９】新製品の紹介、産業上のマニュアル、社員教育など広範囲に利用可能。
【符号の説明】
【００２０】１  スイッチ・ボリュウム（本体表面または側面）  ２  音声が聞こえる穴
３  ボタン電池または乾電池（充電式も可能）  ４  マイコン  ５  音声ＬＳＩ
６  発震器  ７  スピ−カ−  ８  ハンドストラップ  ９  振動板  １０  コイル
１１  永久磁石  １２  出力（スピ−カ−）  １３  歩数計
【図１】
2011232719.tif 000003
【図２】
2011232719.tif 000004
【図３】
2011232719.tif 000005
【図４】
2011232719.tif 000006
【図５】
2011232719.tif 000007